【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
第１色の光を受光する受光素子と前記第１色とは異なる第２色の光を受光する受光素子とを含む第１の複数の受光素子が第１方向に配列された第１ラインセンサと、前記第１色の光を受光する受光素子と前記第２色の光を受光する受光素子とを含む第２の複数の受光素子が前記第１方向に配列された第２ラインセンサと、を備え、前記第１方向と交差する第２方向に所定の間隔で設けられた前記第１ラインセンサ及び前記第２ラインセンサを用いて原稿の画像を読取位置において読み取る読取センサと、
前記第１ラインセンサに設けられた受光素子による読取結果を表す画素データ及び前記第２ラインセンサに設けられた受光素子による読取結果を表す画素データを生成する第１生成手段と、
前記読取位置に前記原稿がない第１期間に前記読取センサが読み取った画像に基づいて前記第１生成手段が生成した画素データに含まれる異常画素、及び、前記読取位置に前記原稿がある第２期間に前記読取センサが読み取った画像に基づいて前記第１生成手段が生成した画素データに含まれる異常画素、を検出する検出手段と、
前記第１期間における前記第１ラインセンサに関する画素データに対する前記検出手段の検出結果と前記第１期間における前記第２ラインセンサに関する画素データに対する前記検出手段の検出結果とを合成した第１異常画素情報と、前記第２期間における前記第１ラインセンサに関する画素データに対する前記検出手段の検出結果と前記第２期間における前記第２ラインセンサに関する画素データに対する前記検出手段の検出結果とを合成した第２異常画素情報と、の少なくとも一方を生成する合成手段と、
を有することを特徴とする、
画像読取装置。
【請求項２】
前記第１の複数の受光素子と前記第２の複数の受光素子とのそれぞれは、前記第１色の光を受光する受光素子と、前記第１色の光を受光する受光素子に隣接するとともに前記第２色の光を受光する受光素子と、を有することを特徴とする請求項１に記載の画像読取装置。
【請求項３】
前記第１の複数の受光素子と前記第２の複数の受光素子とのそれぞれは、前記第１色と前記第２色とのいずれとも異なる第３色の光を受光する受光素子を更に有し、
前記第１の複数の受光素子と前記第２の複数の受光素子とのそれぞれは、前記第１色の光を受光する受光素子と、前記第１色の光を受光する受光素子に隣接するとともに前記第２色の光を受光する受光素子と、前記第２色の光を受光する受光素子に隣接するとともに前記第３色の光を受光する受光素子と、を有することを特徴とする請求項１又は２に記載の画像読取装置。
【請求項４】
前記第１ラインセンサおよび前記第２ラインセンサにおいて、前記第１色の光を受光する受光素子、前記第２色の光を受光する受光素子、および前記第３色の光を受光する受光素子は、前記第１方向に周期的に配列されていることを特徴とする請求項３に記載の画像読取装置。
【請求項５】
前記第１色は赤、前記第２色は緑、かつ、前記第３色は青であることを特徴とする請求項３又は４に記載の画像読取装置。
【請求項６】
前記第１の複数の受光素子と前記第２の複数の受光素子とのそれぞれは、前記第１色および前記第２色のいずれとも異なる第３色の光を受光する受光素子を更に有し、
前記読取センサは、前記第１色の光を受光する受光素子、前記第２色の光を受光する受光素子、及び前記第３色の光を受光する受光素子を含む第３の複数の受光素子が前記第１方向に配列された第３ラインセンサを備え、
前記第１ラインセンサ、前記第２ラインセンサ、及び前記第３ラインセンサは、前記第２方向に前記所定の間隔で配置され、
前記第１ラインセンサにおいて記第１方向における第１位置に配置された受光素子、前記第２ラインセンサにおいて前記第１方向における前記第１位置に配置された受光素子、前記第３ラインセンサにおいて前記第１方向における前記第１位置に配置された受光素子は、それぞれ互いに異なる光を受光する受光素子であることを特徴とする請求項１に記載の画像読取装置。
【請求項７】
前記読取センサはＣＭＯＳセンサであることを特徴とする請求項１乃至６のいずれか一項に記載の画像読取装置。
【請求項８】
前記画像読取装置は、前記第１ラインセンサにおける前記第１色の画素データと前記第２ラインセンサにおける前記第１色の画素データとを並び替えることによって前記第１色の画素データ列を生成し、前記第１ラインセンサにおける前記第２色の画素データと前記第２ラインセンサにおける前記第２色の画素データとを並び替えることによって前記第２色の画素データ列を生成する第２生成手段をさらに備え、
前記検出手段は、前記第２生成手段によって生成された画素データ列に基づいて、前記異常画素を検出することを特徴とする、
請求項１乃至７のいずれか一項に記載の画像読取装置。
【請求項９】
前記第１異常画素情報は、前記第１期間に対応する前記第１色の画素データ列に対する前記検出手段の検出結果と前記第１期間に対応する前記第２色の画素データ列に対する前記検出手段の検出結果との論理和演算によって生成され、前記第２異常画素情報は、前記第２期間に対応する前記第１色の画素データ列に対する前記検出手段の検出結果と前記第２期間に対応する前記第２色の画素データ列に対する前記検出手段の検出結果との論理和演算によって生成され、
前記第１異常画素情報は、前記第１色に対応する前記異常画素の前記第１方向における位置を表し、
前記第２異常画素情報は、前記第２色に対応する前記異常画素の前記第１方向における異常画素の位置を表すことを特徴とする、
請求項８記載の画像読取装置。
【請求項１０】
前記検出手段は、前記第１方向において、所定の画素幅毎に異常画素の検出を行うことを特徴とする、
請求項１乃至９のいずれか一項に記載の画像読取装置。
【請求項１１】
前記第１期間は、搬送される第１の原稿の後端が前記読取位置を通過してから前記第１の原稿に後続する第２の原稿の先端が前記読取位置に到達するまでの期間であり、
前記第２期間は、前記第２の原稿の先端が前記読取位置に到達してから当該第２の原稿の後端が前記読取位置を通過するまでの期間であることを特徴とする、
請求項１乃至１０のいずれか一項に記載の画像読取装置。
【請求項１２】
前記合成手段は、前記第１異常画素情報及び前記第２異常画素情報を生成し、
前記画像読取装置は、前記第２異常画素情報によって表される前記異常画素の前記第１方向における範囲の少なくとも一部が、前記第１異常画素情報によって表される前記異常画素の前記第１方向における範囲と前記第２方向において重なっている場合に、前記第２異常画素情報が示す画素を異常画素であると判定する判定手段を有することを特徴とする、
請求項１乃至１１のいずれか一項に記載の画像読取装置。
【請求項１３】
前記合成手段は、前記第１異常画素情報を生成し、
前記画像読取装置は、前記第２期間に対応する前記検出手段の検出結果によって表される異常画素のうちの少なくとも１つの異常画素の前記第１方向における位置が、前記第１異常画素情報によって表される前記異常画素の前記第１方向における範囲に含まれている場合に、前記第２期間に対応する前記検出手段の検出結果が示す画素を異常画素であると判定する判定手段を有することを特徴とする、
請求項１乃至１１のいずれか一項に記載の画像読取装置。
【請求項１４】
前記合成手段は、前記第１期間における前記第１ラインセンサに関する画素データに対する前記検出手段の検出結果と前記第１期間における前記第２ラインセンサに関する画素データに対する前記検出手段の検出結果とを合成した情報によって表される前記異常画素の前記第１方向における範囲のうち前記第１方向における両端の画素のそれぞれに隣接する画素を前記異常画素として、前記第１異常画素情報を生成することを特徴とする、
請求項１３記載の画像読取装置。
【請求項１５】
前記合成手段は、前記第２異常画素情報を生成し、
前記画像読取装置は、前記第１期間に対応する前記検出手段の検出結果によって表される異常画素のうちの少なくとも１つの異常画素の前記第１方向における位置が、前記第２異常画素情報によって表される前記異常画素の前記第１方向における範囲に含まれている場合に、前記第１期間に対応する前記検出手段の検出結果が示す画素を異常画素であると判定する判定手段を有することを特徴とする
請求項１乃至１１のいずれか一項に記載の画像読取装置。
【請求項１６】
前記合成手段は、前記第２期間における前記第１ラインセンサに関する画素データに対する前記検出手段の検出結果と前記第２期間における前記第２ラインセンサに関する画素データに対する前記検出手段の検出結果とを合成した情報によって表される前記異常画素の前記第１方向における範囲のうち前記第１方向における両端の画素のそれぞれに隣接する画素を前記異常画素として、前記第２異常画素情報を生成することを特徴とする、
請求項１５記載の画像読取装置。
【請求項１７】
判定手段により異常画素が検出された場合に、警告を行う警告手段をさらに備えることを特徴とする、
請求項１２乃至１６のいずれか一項に記載の画像読取装置。
【請求項１８】
前記合成手段は、前記第１ラインセンサにおいて前記第１方向における第１の位置に設けられた受光素子に対応する画素データに対する前記検出手段の検出結果と、前記第２ラインセンサにおいて前記第１方向における前記第１の位置に設けられた受光素子に対応する画素データに対する前記検出手段の検出結果と、を、合成することを特徴とする、
請求項１乃至１７のいずれか一項に記載の画像読取装置。
【請求項１９】
前記検出手段は、前記第１生成手段によって生成された画素データに含まれる輝度を表す輝度値と所定値とに基づいて異常画素を検出し、
前記所定値は、前記読取位置に設けられた白色部材を読み取ることによって得られた前記輝度値に基づく値であることを特徴とする、
請求項１乃至１８のいずれか一項に記載の画像読取装置。
【請求項２０】
画像を読み取る画像読取装置と、
前記画像読取装置による読取結果に基づいて所定の記録媒体に画像を形成する画像形成手段と、を備え、
前記画像読取装置は、
第１色の光を受光する受光素子と前記第１色とは異なる第２色の光を受光する受光素子とを含む第１の複数の受光素子が第１方向に配列された第１ラインセンサと、前記第１色の光を受光する受光素子と前記第２色の光を受光する受光素子とを含む第２の複数の受光素子が前記第１方向に配列された第２ラインセンサと、を備え、前記第１方向と交差する第２方向に所定の間隔で設けられた前記第１ラインセンサ及び前記第２ラインセンサを用いて原稿の画像を読取位置において読み取る読取センサと、
前記第１ラインセンサに設けられた受光素子による読取結果を表す画素データ及び前記第２ラインセンサに設けられた受光素子による読取結果を表す画素データを生成する第１生成手段と、
前記読取位置に前記原稿がない第１期間に前記読取センサが読み取った画像に基づいて前記第１生成手段が生成した画素データに含まれる異常画素、及び、前記読取位置に前記原稿がある第２期間に前記読取センサが読み取った画像に基づいて前記第１生成手段が生成した画素データに含まれる異常画素、を検出する検出手段と、
前記第１期間における前記第１ラインセンサに関する画素データに対する前記検出手段の検出結果と前記第１期間における前記第２ラインセンサに関する画素データに対する前記検出手段の検出結果とを合成した第１異常画素情報と、前記第２期間における前記第１ラインセンサに関する画素データに対する前記検出手段の検出結果と前記第２期間における前記第２ラインセンサに関する画素データに対する前記検出手段の検出結果とを合成した第２異常画素情報と、の少なくとも一方を生成する合成手段と、
を有することを特徴とする、
画像形成装置。
【請求項２１】
第１色の光を受光する受光素子と前記第１色とは異なる第２色の光を受光する受光素子とを含む第１の複数の受光素子が第１方向に配列された第１ラインセンサと、前記第１色の光を受光する受光素子と前記第２色の光を受光する受光素子とを含む第２の複数の受光素子が前記第１方向に配列された第２ラインセンサと、を備え、前記第１方向と交差する第２方向に所定の間隔で設けられた前記第１ラインセンサ及び前記第２ラインセンサを用いて原稿の画像を読取位置において読み取る読取センサを備える画像読取装置により実行される方法であって、
前記第１ラインセンサに設けられた受光素子による読取結果を表す画素データ及び前記第２ラインセンサに設けられた受光素子による読取結果を表す画素データを生成し、
前記読取位置に前記原稿がない第１期間に前記読取センサが読み取った画像に基づいて生成された画素データに含まれる異常画素、及び、前記読取位置に前記原稿がある第２期間に前記読取センサが読み取った画像に基づいて生成された画素データに含まれる異常画素、を検出し、
前記第１期間における前記第１ラインセンサに関する画素データに対する異常画素の検出結果と前記第１期間における前記第２ラインセンサに関する画素データに対する異常画素の検出結果とを合成した第１異常画素情報と、前記第２期間における前記第１ラインセンサに関する画素データに対する異常画素の検出結果と前記第２期間における前記第２ラインセンサに関する画素データに対する異常画素の検出結果とを合成した第２異常画素情報と、の少なくとも一方を生成する、ことを特徴とする、
画像読取方法。
【請求項２２】
前記第１の複数の受光素子と前記第２の複数の受光素子とのそれぞれは、前記第１色と前記第２色とのいずれとも異なる第３色の光を受光する受光素子を更に有し、
前記第１の複数の受光素子と前記第２の複数の受光素子とのそれぞれは、前記第１色の光を受光する受光素子と、前記第１色の光を受光する受光素子に隣接するとともに前記第２色の光を受光する受光素子と、前記第２色の光を受光する受光素子に隣接するとともに前記第３色の光を受光する受光素子と、を有し、
前記第１色は赤、前記第２色は緑、かつ、前記第３色は青であることを特徴とする、
請求項２１に記載の画像読取方法。
【請求項２３】
前記読取センサはＣＭＯＳセンサであることを特徴とする、
請求項２１又は２２に記載の画像読取方法。
【手続補正２】
【補正対象書類名】明細書
【補正対象項目名】発明の名称
【補正方法】変更
【補正の内容】
【発明の名称】画像読取装置、画像形成装置、画像読取方法
【手続補正３】
【補正対象書類名】明細書
【補正対象項目名】００１０
【補正方法】変更
【補正の内容】
【００１０】
本発明の画像読取装置は、第１色の光を受光する受光素子と前記第１色とは異なる第２色の光を受光する受光素子とを含む第１の複数の受光素子が第１方向に配列された第１ラインセンサと、前記第１色の光を受光する受光素子と前記第２色の光を受光する受光素子とを含む第２の複数の受光素子が前記第１方向に配列された第２ラインセンサと、を備え、前記第１方向と交差する第２方向に所定の間隔で設けられた前記第１ラインセンサ及び前記第２ラインセンサを用いて原稿の画像を読取位置において読み取る読取センサと、前記第１ラインセンサに設けられた受光素子による読取結果を表す画素データ及び前記第２ラインセンサに設けられた受光素子による読取結果を表す画素データを生成する第１生成手段と、前記読取位置に前記原稿がない第１期間に前記読取センサが読み取った画像に基づいて前記第１生成手段が生成した画素データに含まれる異常画素、及び、前記読取位置に前記原稿がある第２期間に前記読取センサが読み取った画像に基づいて前記第１生成手段が生成した画素データに含まれる異常画素、を検出する検出手段と、前記第１期間における前記第１ラインセンサに関する画素データに対する前記検出手段の検出結果と前記第１期間における前記第２ラインセンサに関する画素データに対する前記検出手段の検出結果とを合成した第１異常画素情報と、前記第２期間における前記第１ラインセンサに関する画素データに対する前記検出手段の検出結果と前記第２期間における前記第２ラインセンサに関する画素データに対する前記検出手段の検出結果とを合成した第２異常画素情報と、の少なくとも一方を生成する合成手段と、を有することを特徴とする。